(57)【要約】【課題】  運転の時刻を容易に予約設定することができる洗濯機を提供する。【解決手段】  液晶パネル７５にドラム式洗濯乾燥機の運転にかかる所要時間を表示して、運転を終了する時刻を予約設定できる運転終了予約画面とドラム式洗濯乾燥機の運転を開始する時刻を予約設定できる運転開始予約画面とを、予約操作キー６７の押下により選択して、予約時刻を設定することで、その設定時刻とタイマ８０がカウントした時間とに基づいてドラム式洗濯乾燥機は運転を開始または終了する。【選択図】  図１
2008006064.tif 000002
【特許請求の範囲】
【請求項１】
時刻を計時する時計手段と、
運転に要する所要時間または運転に要する所要時間経過後の終了時刻を表示する表示手
段と、
運転を開始させる開始時刻又は、運転を終了させる終了時刻を選択して予約設定可能な
予約時刻設定手段とを有し、
前記予約時刻設定時には、
前記表示手段に前記運転に要する所要時間または運転に要する所要時間経過後の終了時
刻を予め表示した後に、前記予約時刻設定手段により予約時刻設定可能とし、その設定さ
れた予約時刻と前記時計手段が計時する時刻とに基づいて、運転の開始または終了を行わ
せる制御を行う制御手段とを、
有することを特徴とする洗濯機。
【請求項２】
報知手段を有し、
制御手段は、予約時刻設定手段で予約設定した運転の終了時刻が、
表示手段で表示した運転の最短終了時刻より前の時刻に設定されたときに、
予約時刻の設定が不可であることを前記報知手段により報知することを特徴とする請求
項１記載の洗濯機。
【請求項３】
予め記憶されている運転のコースを選択可能な運転コース設定手段を有し、
制御手段は、前記運転コース設定手段で設定された運転コースに要する最短所要時間ま
たは最短の終了時刻を前記表示手段に表示することを特徴とする請求項１または請求項２
記載の洗濯機。
【請求項４】
予約時刻設定手段は、回動するダイヤルで構成されることを特徴とする請求項１記載の
洗濯機。
【発明の詳細な説明】
【技術分野】
【０００１】
本発明は、時刻を設定することができる洗濯機に関する。
【背景技術】
【０００２】
従来の洗濯機においては、運転の予約が曜日および時刻を設定してできる予約手段を備
えると共に、時計手段、およびこの時計手段から現在の曜日及び時刻を判別する判別手段
を備え、そしてその判別結果に基づいて現在の曜日および時刻が予約した運転の開始曜日
および開始時刻に達したと判断される時にその運転を実行する洗濯機が提供されていた。
【０００３】
またこの場合、運転終了時刻を予約手段に設定することができ、制御手段は、予約終了
時刻から運転所要時刻を差引いてその開始時刻を決定して、開始時刻に達したと判断され
る時にその運転を実行する洗濯機も提供されていた（特許文献１参照）。
【特許文献１】特開平４−２６６７９７号公報
【発明の開示】
【発明が解決しようとする課題】
【０００４】
しかしながら、上述した特許文献１において、運転終了時刻を予約手段に設定した場合
、使用者が、現在の時刻からどのくらい時間がかかって洗濯が終了するのかわからず、設
定する運転開始時刻または運転終了時刻を何時にすれば良いか分からないという問題があ
った。
【０００５】
また運転終了時刻を運転が終了する前の時刻に設定した場合は、洗濯が終了する前に運
転が停止してしまい、洗濯を完了さえることができないという問題も有していた。
【０００６】
本発明は上記問題点を鑑みてなされたもので、運転の時刻を容易に予約設定することが
できる洗濯機を提供することを目的とする。
【課題を解決するための手段】
【０００７】
上記目的を達成するために、本発明に係わる洗濯機は、時刻を計時する時計手段と、運
転に要する所要時間または運転に要する所要時間経過後の終了時刻を表示する表示手段と
、運転を開始させる開始時刻又は、運転を終了させる終了時刻を選択して予約設定可能な
予約時刻設定手段とを有し、前記予約時刻設定時には、前記表示手段に前記運転に要する
所要時間または運転に要する所要時間経過後の終了時刻を予め表示した後に、前記予約時
刻設定手段により予約時刻設定可能とし、その設定された予約時刻と前記時計手段が計時
する時刻とに基づいて、運転の開始または終了を行わせる制御を行う制御手段とを、有す
ることを主たる特徴とする。
【発明の効果】
【０００８】
本発明の洗濯機によれば、運転を開始する時刻と、運転が終了する時刻とを選択して予
約設定可能な予約時刻設定手段と、表示手段に運転に要する所要時間または運転に要する
所要時間経過後の終了時刻を表示とを有することにより、使用者は表示手段に表示された
運転にかかる所要時間または運転の終了時刻を予約設定の時に予め認識することができ、
予約設定をするのに使用者の都合に応じて、運転を開始する時刻と運転が終了する時刻と
を選択できる。
【０００９】
また使用者は、所要時間または終了時刻が表示されることにより、運転が終了する終了
時刻を把握でき、その把握した終了時刻以降の時刻を予約設定することができるため、洗
濯が終了する前に運転が停止してしまうという問題を回避できる。
【発明を実施するための最良の形態】
【００１０】
以下、本発明に係る洗濯機をドラム式洗濯乾燥機に適用した実施例につき説明する。  
図１は、ドラム式洗濯乾燥機の予約時刻を設定する操作方法のフローチャートを示す図
である。  
図２は、ドラム式洗濯乾燥機の外観斜視図。図３は、ドラム式洗濯乾燥機の全体構成を
示す縦断側面図。そして図４は、操作パネルの拡大図である。図５は、ドラム式洗濯乾燥
機の電気的構成図である。図６は、図１の操作方法における液晶パネルの状態図である。
【００１１】
図７は、運転コースの所要時間を示した図である。  
図２、図３に示すように、ドラム式洗濯乾燥機は全体として矩形箱状をしており、その
外郭を形成する外箱１の前面部１ａには円形状の洗濯物投入口４を形成し、この洗濯物投
入口４には開閉可能な扉５が取り付けられている。  
そして外箱１内部には、水槽６が配設されていて、この水槽６は前面に開口部を有する
ドラム状を成すもので、外箱１の底面部に左右一対のサスペンション７（図３参照）を介
して横向きに弾性支持されており、その支持形態は、前面の開口部に向かって上昇傾斜す
る形状である。  
この水槽６の前部には環状をなす水槽カバー６ａが設けられていて、後述するようにこ
の水槽カバー６ａと洗濯物投入口４との間がベロー８によって水密に連通接続されている
。  
水槽６の閉塞された底面を構成する後端面部６ｃ（図３中、右側の端面部）は十分な機
械的強度を有し、その背面にモータ１５が取付けられている。またその上部には、後述す
る給気口１６が形成されている。そのほか、水槽６の側面最底部には排水口１７が形成さ
れており、その下流には排水弁１８が取付けられ、その先には排水ホース１９が接続され
ている。また水槽６の上面には可撓性ホース２０が接続されており、この可撓性ホース２
０は外箱１の前方上部に設けられた洗剤ケース２１を介して後部の給水装置２２と繋がり
、給水装置２２の給水口２３と繋がっている。  
また水槽６の内部には、所定の間隙を有して径小のドラム３０が配設されている。この
ドラム３０の閉塞された底面は、強度十分の板厚とした例えば金属製のドラム支え３０ｂ
として機能するように設けられている。このドラム支え３０ｂ中心部に取付けられたドラ
ムシャフト３０ｃは、水槽６の底部の中心部から前記モータ１５に取付けられている。こ
れにより、ドラム３０は、水槽６と同じ傾斜をもって水槽６に回転可能に支持される。  
また前記ドラム３０には、周壁部とドラム支え３０ｂのほぼ全域に通水および通風が可
能な多数の孔３１が設けられており（図３では一部のみ図示）、また胴部の内周部の数か
所にバッフル３２が取付けられている。
【００１２】
またドラム３０の前部には、ドラムカバー３０ａが取り付けられている。このドラムカ
バー３０ａは、ドラム３０の開放された前面の周縁部に装着されたもので、中央部に洗濯
物出入口３３を有するリング状を成しており、耐熱材で構成されている。  
また上記した水槽カバー６ａは、中央部に開口部を有するリング状を成して、鉄板やス
テンレス板等の金属、又はガラスや合成樹脂などの耐熱性である剛性材で構成されている
。  
この水槽カバー６ａは、その上部に排気口４０を形成しており、その外部には排気口４
０を覆い、連通する排気ダクト４１が設けられている。  
この排気ダクト４１は、水槽カバー６ａを囲繞するように環状に設けられており、その
排気ダクト４１の下部は、蛇腹状部を有する可撓性ダクト４２を介して、水槽６の下方に
設けられた乾燥ユニット用ダクト４３に接続されている。  
この乾燥ユニット用ダクト４３は外箱１内に前部から後方へ延びていて、その後部にフ
ァンケーシング４４が設けられている。ファンケーシング４４の上方に形成される吐出口
４５には、蛇腹状部を有する可撓性ダクト４６を介して給気ダクト４７に接続されている
。給気ダクト４７は、図３に示すように、モータ１５の上部を囲繞するようにして、ドラ
ム３０の回転方向に沿ってほぼ円弧状に延びていて、モータ１５の直上に最高点を有する
ように設けられており、その先端部が水槽６の後端面部６ｃの上部において前記給気口１
６と接続されている。そして、この給気口１６に臨むように給気ダクト４７の外側にエア
トラップ１１ａが設けられていて、それに接続されるエアチューブ１１ｂとにより泡セン
サ１１を構成している。  
ここで、水槽カバー６ａの排気口４０に接続された排気ダクト４１、可撓性ダクト４２
、乾燥ユニット用ダクト４３、ファンケーシング４４、可撓性ダクト４６、そして、水槽
６の給気口１６に接続された給気ダクト４７により、水槽６内と連通した循環送風路４８
（通風路に相当）を構成している。循環送風路４８のうちファンケーシング４４内には、
送風機４９を構成するファン４９ａが配設され、ファンケーシング４４の外部にファンモ
ータ４９ｂが配設されている。  
乾燥ユニット用ダクト４３内には、ヒートポンプ機構５０の蒸発器（エバポレータ）５
１と凝縮器（コンデンサ）５２とが配設されている。ヒートポンプ機構５０は、周知のよ
うに、圧縮機（コンプレッサ）５３と、凝縮器５２と、図示しないキャピラリチューブ（
絞り）と、蒸発器５１を順にパイプにより循環接続して冷凍サイクルを構成するもので、
圧縮機５３を駆動することに伴い、冷媒がそれらを順に通って循環するようになっている
。このとき、凝縮器５２においては、冷媒が熱を放出して液化するようになっており、こ
の凝縮器５２は循環空気の加熱手段として機能する。また、蒸発器５１においては、冷媒
が蒸発する際に周囲の熱を奪うことにより周囲を冷却するようになっており、この蒸発器
５１は循環空気の冷却手段として機能する。そしてこの場合、送風機４９や凝縮器５２お
よび蒸発器５１等のヒートポンプ機構５０により乾燥機能手段を構成するもので、これら
は外箱１内において水槽６の下方に配設されており、従って、外箱１内の下部に配置され
ている。また乾燥ユニット用ダクト４３に比して高さ方向に大きい圧縮機５３は、外箱１
の前面１ａに向かって上昇傾斜する水槽６の下方前方に配置されている。
【００１３】
ここで外箱１の前面部１ａについて説明する。  
まず、前述したように外箱１の前面部１ａに開閉可能な扉５が取り付けられている。こ
の前面部１ａは、前板としての前面パネル２と、後述する電源等のスイッチ等が配置され
た操作パネル３とから構成されていて、それぞれ、樹脂で形成されている。  
その前面部１ａの中央には、図３に示すように前記扉５を収納する円形状で中央が窪ん
だ形状の投入口枠９０が設けられている。  
そしてこの前面パネル２には扉５の閉鎖状態を解除するオープンボタン９５（図２参照
）が備えてあり、プッシュすることにより扉５が開放されるようになっている。
【００１４】
また扉５は、図３に示すように、洗濯物投入口４の形状に合わせた円形の形状を有して
おり、その周端部が投入口枠９０に収納されて、扉５の閉鎖時には扉５の前面が前面パネ
ル２と略面一になるように構成されている。  
そしてこの扉５の左側端部に取り付けられた図示しないヒンジにより手前に回動するこ
とによって、洗濯物投入口４を開閉するようになっている。また、この扉５の右側端部に
は閉鎖状態保持用の図示しないフックが設けられている。  
更に、扉５の中央部は洗濯物投入口４と同程度の大きさの透視部である透視窓９６が設
けられている。この透視窓９６は、図３に示すように例えば扉５の前面に前面ガラス９７
と、扉５の後面に前面ガラス９７に平行に設けられた後面ガラス９８とによる２重構造を
なして構成されている。  
一方、シール部材としてのベロー８は、図３に示すように例えば水槽６からの振動を低
減する弾性材で、耐薬品性にも優れたエチレン・プロピレン系の合成ゴム（略称ＥＰＤＭ
）で筒状に形成されており、その取付後部が前記水槽カバー６ａの前端部に囲繞して、こ
の取付後部を環状のベローリングにて取り付けられている。この取付後部の前方は蛇腹部
状に形成されていて水槽６からの振動を吸収するように形成されている。  
対してベロー８の前方は、洗濯物投入口４付近で内周方に延出されたリング状の起立部
が形成されていて、扉５の裏面たる後面ガラス９８が起立部に接触することで扉５と水槽
６を水密にする構成をしている。
【００１５】
ここで前述した操作パネル３について説明する。  
前面部１ａの上部に位置される操作パネル３は、操作パネルユニット６０の表面を構成
するものであって、その表面には、図４に示すように、使用者がドラム式洗濯乾燥機の運
転に係る各種の行程を実行するための各種の操作キーや表示部が設けられている。  
具体的には、上記の各種の操作キーとして、ドラム式洗濯乾燥機の電源をオン／オフす
る電源操作部６１、６２、洗濯、洗濯及び乾燥、乾燥をさせる運転コースのみを選択する
選択操作部６３（洗濯キー６３ａ、洗濯乾燥キー６３ｂ、乾燥キー６３ｃ）、洗い、すす
ぎ、脱水、乾燥の運転コースを手動で設定するための設定ボタン６８ａ〜６８ｄ、また後
述する時刻を予約設定する予約操作キー６７などが設けられている。  
またコース表示部６６と、表示手段としての液晶パネル７５が設けられている。  
そして、この操作パネル３には、選択操作部６３とコース表示部６６との間に円形の開
口部７０が形成されており、その開口部７０には、操作部材ユニット７１が設けられてい
る。操作部材ユニット７１は、円筒状をなし回転操作が可能なダイヤル７２と、このダイ
ヤル７２の内側に押圧操作可能に配設される押釦７３とから構成されている。  
この場合、ダイヤル７２は、ロータリエンコーダを操作するためのものであり、そのロ
ータリエンコーダの回転操作に基づき運転コースである「標準」コース、「スピーディ」
コース、「念入り」コースなどを選択して、その選択したコース内容がコース表示部６６
に点灯して順次切り替わる構成となっている。また、押釦７３は、押圧操作して押圧操作
信号が出力されるようになっており、スタートと一時停止の操作を兼ねている。  
そして、これら操作パネルユニット６０の各種の操作キーや表示部は、図５に示すよう
に制御装置１１に電気的に接続されている。  
具体的には、この制御装置１０（制御手段に相当）には、選択操作部６３（運転コース
設定手段に相当）、設定ボタン６８（運転コース設定手段に相当）、予約操作ボタン６７
（予約時刻設定手段に相当）、ダイヤル７２（予約時刻設定手段に相当）、押釦７３（運
転コース設定手段、予約時刻設定手段に相当）、液晶パネル７５（表示手段、報知手段に
相当）が接続されている。さらに液晶パネル７５に表示する時刻をカウントする計時手段
であるタイマ８０、ドラム３０を回転させるモータ１５、圧縮機５３、排水弁１８、給水
装置４９ｂ、ファンモータ４９ｂも接続されている。
【００１６】
次に上記構成の作用を説明する。  
まず、本来の洗濯乾燥機能としては、周知のように、洗い、すすぎ、脱水、乾燥行程を
実行するものである。  
そして、操作パネル３の操作キーにおいて、各行程が選択され実行される。  
例えば、洗い、すすぎ、脱水、乾燥行程の運転を自動で行い、かつ「標準」コースで行
いたい場合は、まず、扉５を開いて洗濯物（図示せず）を洗濯物投入口４を介して、洗濯
物出入口３３からドラム３０内に投入して収容する。そして洗剤ケース２１内に洗剤を収
容し、電源操作部のオンボタン６１を押し、ドラム式洗濯乾燥機の電源を入れる。  
そして、選択操作部６３の「洗い」から「乾燥」までの運転を自動で行う洗濯乾燥キー
６３ｂを選択して押下する。  
すると、コース表示部６６の「標準」が点灯し、ダイヤル７２を回動することにより、
コース表示部６６の点灯する文字が、「標準」、「スピーディ」「念入り」と順次変化す
る。  
そして、コース表示部６６の「標準」が点灯している時に、押釦７３を押すことにより
、「洗い」から「乾燥」までの運転を「標準」コース運転で実行するように選択設定され
、予め記憶された各種運転コースプログラムに基づいて動作する。  
この「洗い」から「乾燥」までを自動に「標準」コースの動作について説明する。
【００１７】
まず洗い行程では、まず排水弁１８を閉じ、給水装置２２から水が洗剤ケース２１及び
可撓性ホース２０を介して水槽６内に供給されて貯留される。このとき、洗剤ケース２１
内に収容された洗剤も水と共に水槽６内に供給される。そして、モータ１５が駆動されて
、ドラム３０が低速で正逆両方向に回転されることにより、ドラム３０内の洗濯物が洗わ
れる。この際、洗濯物と洗濯水をバッフル３２が順次かき上げ、洗濯物及び洗濯水の撹拌
を促進する。  
洗い行程が終了すると、排水弁１８を開放して水槽６内の水を排出した後、中間脱水を
行なう。中間脱水は、モータ１５によりドラム３０を一方向に高速回転させることによっ
て洗濯物に含まれた水を遠心力により孔３１から排出させて行われる。この中間脱水が終
了するとつづいてすすぎ行程が行われる。すすぎ行程は、給水時に洗剤を使用しないとこ
ろ以外は洗い行程と同様に行なわれる。すすぎ行程が終了すると、最終脱水行程が行なわ
れる。最終脱水行程は、中間脱水行程と同様に、水槽６内の水を排出した後、モータ１５
によりドラム３０を一方向に高速回転させることによって行われる。
【００１８】
この最終脱水行程が終了すると、次に乾燥行程が行なわれる。この乾燥行程では、モー
タ１５によりドラム３０を低速で正逆両方向に回転させると共に、送風機４９、及びヒー
トポンプ機構５０の圧縮機５３を駆動させる。このうち、送風機４９を駆動すると、ファ
ン４９ａの送風作用により、図３の実線の矢印Ａで示すように、乾燥ユニット用ダクト４
３内の空気がファンケーシング４４側に吸引されると共に、吐出口４５から可撓性ダクト
４６を介して給気ダクト４７側へ吐出される。  
給気ダクト４７へ吐出された空気は、給気口１６から水槽６内へ供給される。水槽６内
へ供給された空気の多くは、ドラム３０の孔３１を通してドラム３０内に供給される。  
ドラム３０内及び水槽６内の空気は、水槽６の開口部に向かって流れ、扉５の後面ガラ
ス９８やベロー８にぶつかり、水槽６前部の排気口４０から排気ダクト４１側へ排出され
る。排気ダクト４１側へ排出された空気は、下方の可撓性ダクト４２を通り、乾燥ユニッ
ト用ダクト４３に戻されるようにして循環される。  
また、圧縮機５３が駆動されると、圧縮機５３から高温高圧の冷媒が凝縮器５２に流れ
、ここで放熱して液化する。このとき、乾燥ユニット用ダクト４３の凝縮器５２を通る空
気がその凝縮器５２により加熱される。また、液化した冷媒は、キャピラリチューブを通
過して減圧された後、蒸発器５１に流れ、ここで周囲の熱を奪って気化する。このとき、
乾燥ユニット用ダクト４３の蒸発器５１を通る空気がその蒸発器５１により冷却される。
【００１９】
蒸発器５１で気化した冷媒は圧縮機５３に戻り、再び圧縮されて高温高圧の冷媒となって
吐出される。  
このようにして、凝縮器５２により加熱された温風が、ドラム３０内に供給されること
により、ドラム３０内の洗濯物を加熱すると共に、洗濯物の水分を奪い、洗濯物を乾燥さ
せる。そして、水分を奪った空気が、乾燥ユニット用ダクト４３の蒸発器５１を通る過程
で冷却されて、その空気に含まれる水分が凝縮して除湿される。除湿された空気が、再び
凝縮器５２を通る過程で加熱されて温風化され、温風がドラム３０内に供給されるという
ように循環する。このように水槽６内の空気が循環送風路４８を通して循環されることに
伴い、ドラム３０内の洗濯物が乾燥される。  
以上により、「洗い」から「乾燥」までを自動に運転する「標準」運転コースの動作が
終了する。この運転コースにかかる所要時間は６時間である。  
なお、選択操作部６３のうち洗濯キー６３ａを選択実行した場合には、上述した洗い行
程から最終脱水行程まで行われ終了する。そして乾燥キー６３ｃを選択して実行した場合
には、上述した乾燥行程のみが行われる。
【００２０】
ここで、操作パネルユニット６０の前述した予約時刻を設定する予約操作キー６７の操
作方法について詳細を図１、図６を参照して説明する。この予約操作キー６７は、運転コ
ースの開始時間、終了時間等の時間を予約設定等をするものである。  
電源操作部６１をオンすると、液晶パネル７５に現在時刻（２０時００分）が表示され
る（ステップＳ１、２）（図６（ａ）参照）。この現在時刻は、制御装置１０に接続され
るタイマ８０により時刻を計時されているものである。  
そして前述したように、「洗い」から「乾燥」までの自動運転を「標準」コースとして
選択する（ステップＳ３）。続いて予約操作キー６７を押下すると、選択した運転コース
にかかる所要時間（６時間）が表示される（ステップＳ４、５）（図６（ｂ）参照）。  
この所要時間は、液晶パネル７５に、「運転所要時間６時間」と表示されていて、使用
者はこの表示により、今から運転を開始したとしたならば今から６時間後に運転が終了す
ることを認識する。そして後述する運転終了予約画面で予約終了時刻が設定できるのは、
現在の時刻２０時から６時間後の２６時後である、と認識することができる。
【００２１】
そして使用者は、もう一度予約操作キー６７を押下すると（ステップＳ６のＹ）、液晶
パネル７５に運転終了時刻設定画面が表示され、基準時刻（例えば６時００分）が点灯す
る（ステップＳ７）（図６（ｃ）参照）。このときにダイヤル７２を回動操作すると、表
示された時刻が変更されて、使用者は、洗濯を終了させたい時刻（例えば７時４０分）に
合わせる（ステップＳ９、１０）（図６（ｂ）参照）。  
そして、予約終了時刻に合わせたら、押釦７３を押すことにより（ステップＳ１１）、
「洗い」から「乾燥」までの自動「標準」運転コースと予約終了時刻とが設定され（ステ
ップＳ１３）、予め設定されたプログラムに基づいて、予約設定した予約終了時刻（７時
４０分）に設定運転コースが終了するように、運転が開始される（ステップＳ１４）。そ
して、運転開始からステップＳ５で表示した所要時間（６時間）が経過したときに運転が
終了する（ステップＳ１５）。  
なお、ステップＳ１１の押釦７３を押したとき、その選択した予約終了時刻が、現在時
刻と所要時間の合計時刻（２６時）より前に選択されているときは、その予約時刻までに
設定運転コースは終了できないため、液晶パネルに「予約不可」と点滅表示がされる（ス
テップＳ１２、Ｓ１６（図６（ｇ）参照））。
【００２２】
一方、使用者が、前述のステップＳ１１までにさらに予約操作キー６７を押下すると（
ステップＳ８）、液晶パネル７５に運転開始予約画面が表示され（ステップＳ１７）（図
６（ｅ）参照）、運転が開始される時刻を予約できる画面となる。このときは前述の運転
終了予約画面と同様に、ダイヤル７２を回動操作して、開始時刻（２３時００分）を選択
する（ステップＳ１９、２０）（図６（ｆ）参照）。  
その状態で押釦７３を押すことにより（ステップＳ２１）、「洗い」から「乾燥」まで
の自動「標準」運転コースと予約開始時刻とが設定される（ステップＳ２２）。そして予
約設定した開始時刻（２３時００分）が来たときに運転が開始され、ステップＳ５で表示
した所要時間（６時間）が経過したときに運転が終了する（ステップＳ２３、２４）。  
またステップＳ２１までに、さらにもう一度予約操作キー６７を押下すると（ステップ
Ｓ１８）、液晶パネル７５には再び、ステップＳ５のコース所要時間が表示されるように
なる。  
すなわち予約操作キー６７を複数回押下することにより、コース所要時間表示画面、運
転終了予約画面、運転開始表示画面が順次表示される構成となっている。  
なお、ステップＳ５の所要時間は、図７に示すように、選択した運転コースによりそれ
ぞれ異っており、例えば洗濯乾燥運転コース６３ａを選択して「スピーディ」運転コース
をダイヤル７２で選択した時には、所要時間は、図７に示すように５時間の表示がされる
。従って、運転終了予約画面で時刻を設定する時には、現在時刻から５時間後の時刻に設
定しないと、ステップＳ１６のように予約設定不可が表示され、予約できないようになる
。
【００２３】
上記した実施形態によれば、次のような効果を得ることができる。  
ドラム式洗濯乾燥機の運転を終了する時刻を予約設定できる運転終了予約画面と、ドラ
ム式洗濯乾燥機の運転を開始する時刻を予約設定できる運転開始予約画面とを、予約操作
キー６７の押下により、液晶パネル７５に呼び出してどちらかを選択して時刻の予約設定
ができ、その設定時刻とタイマ８０がカウントした時間とに基づいてドラム式洗濯乾燥機
に運転を開始または終了させることができるため、使用者は、使用者の都合によりドラム
式洗濯乾燥機の運転を終了する時刻と運転を開始する時刻の予約設定を選択することがで
き、使い勝手が良い。  
また液晶パネル７５には、ドラム式洗濯乾燥機の運転にかかる所要時間または終了時刻
を表示するため、使用者はその所要時間を見て、運転開始時刻予約をする際に、使用者が
洗濯を完了したい時刻までに運転が終了するのか認識することができる。また、運転終了
時刻の予約をする際に、使用者は、運転の終了時刻を把握しその把握した終了時刻以降の
時刻を予約設定することができるため、洗濯が完了する前に運転が停止してしまうという
問題を回避できる。
【００２４】
また、液晶パネル７５には、洗濯機の運転にかかる所要時間または終了時刻を表示した
後に、運転終了予約画面において予約設定した終了時刻が、表示した運転コースにかかる
所要時間前、または表示した終了時刻前の時刻に設定された時に、液晶パネル７５に「予
約設定不可」と表示して、使用者に報知したため、使用者はその表示を認識し、改めて終
了時刻前の時刻の予約設定することができる。そのため洗濯が完了する前に運転が停止し
てしまうという問題が回避できる。  
また複数の運転コースのうち一つを選択できる選択操作部６３と設定ボタン６８、ダイ
ヤル７２を設け、選択された運転コースに基づく所要時間を液晶パネル７５に表示した為
、使用者はそれぞれの運転コースの所要時間を認識することができ、より時刻の予約設定
がしやすくなる。  
また予約時刻設定手段の一部として、ダイヤル７２を使用して時刻を選択する構成とし
たため、使用者にとって使用しやすい。
【００２５】
なお、液晶パネル７５には、ステップS５において「運転所要時間６時間」と表示した
が、「運転終了予約時間の設定可能時間は６時間後」と表示しても良い。またその時の現
在時刻が２０時０分であるときは「運転終了予約時間の設定可能時間は２６時以降」と表
示して、運転の終了時刻を表示しても良い。  
その他、本発明は上記実施例に限定されるものではなく、実施に際して本発明の要旨を
逸脱しない範囲で種々変更して実施できるものである。
【図面の簡単な説明】
【００２６】
【図１】本発明の一実施例を示すドラム式洗濯乾燥機の予約時刻を設定する操作方法のフローチャートを示す図
【図２】ドラム式洗濯乾燥機の外観斜視図
【図３】ドラム式洗濯乾燥機の全体構成を示す縦断側面図
【図４】操作パネルの拡大図
【図５】ドラム式洗濯乾燥機の電気的構成図
【図６】図１の操作方法における液晶パネルの状態図
【図７】運転コースの所要時間を示した図
【符号の説明】
【００２７】
図中、１は外箱、１ａは前面部、２は前面パネル、３は操作パネル、４は洗濯物投入口、
５は扉、６は水槽、６ａは水槽カバー、６ｂは開口部、６ｃは後端面部、７はサスペンシ
ョン、８はベロー、８ｂは起立部、８ｃは延出部、８ｄはねじ孔、１０は制御装置、１１
は泡センサ、１１ａはエアトラップ、１１ｂはエアチューブ、１１ｃは圧力センサ、１５
はモータ、１６は給気口、１７は排水口、１８は排水弁、１９は排水ホース、２０は可撓
性ホース、２１は洗剤ケース、２２は給水装置、２３は給水口、３０はドラム、３０ａは
ドラムカバー、３０ｂはドラム支え、３０ｃはドラムシャフト、３１は孔、３２はバッフ
ル、３３は洗濯物出入口、４０は排気口、４１は排気ダクト、４２は可撓性ダクト、４３
は乾燥ユニット用ダクト、４４はファンケーシング、４５は吐出口、４６は可撓性ダクト
、４７は給気ダクト、４８は循環送風路、４９は送風機、４９ａはファン、４９ｂはファ
ンモータ、５０はヒートポンプ機構、５１は蒸発器、５２は凝縮器、５３は圧縮機、６０
は操作パネルユニット、６１、６２は電源操作部、６３は選択操作部（洗濯キー６３ａ、
洗濯乾燥キー６３ｂ、乾燥キー６３ｃ）、６６はコース表示部、６７は予約操作キー、６
８は設定ボタン（６８ａ〜６８ｄ）、７５は液晶パネル、７０は開口部、７１は操作部材
ユニット、７２ダイヤル、７３は押釦、８０はタイマ、９０は投入口枠、９５はオープン
ボタン、９６は透視窓、９７は前面ガラス、９８は後面ガラス、を示す。
【図１】
2008006064.tif 000003
【図２】
2008006064.tif 000004
【図３】
2008006064.tif 000005
【図４】
2008006064.tif 000006
【図５】
2008006064.tif 000007
【図６】
2008006064.tif 000008
【図７】
2008006064.tif 000009